(57)【特許請求の範囲】
【請求項１】
第１及び第２の筐体がヒンジ部を介して、上記第１の筐体の第１の筐体表面と上記第２の筐体の第２の筐体表面とを対向させる閉方向及び上記第１の筐体表面と上記第２の筐体表面とを所定の鈍角まで引き離す開方向へ開閉可能に連結されて形成された端末筐体と、
上記第１の筐体の上記第１の筐体表面に、パネル面のパネル一端よりもパネル他端を上記ヒンジ部側に位置させて設けられた表示パネルと、
上記第１及び第２の筐体が上記ヒンジ部を介して開かれて上記表示パネルの上記パネル面全体を露出させた状態で、上記表示パネルを変位させるように操作されると、当該表示パネルを上記第２の筐体の第２の筐体表面側に変位させる変位手段と、
上記表示パネルの上記パネル面全体を露出させた状態でも当該表示パネルが変位していないと、上記表示パネルに表示画像を、当該表示パネルの上記パネル一端から上記パネル他端までの縦方向と直交する横方向に上記表示画像の幅方向を一致させるように表示し、上記表示パネルが上記変位手段を介して変位すると、上記表示パネルに上記表示画像を、上記縦方向に上記幅方向を一致させるように９０度回転させて表示する表示制御部と
を具える携帯端末。
【請求項２】
上記変位手段は、
上記第１及び第２の筐体が上記ヒンジ部を介して開かれて上記表示パネルの上記パネル面全体を露出させた状態で、上記表示パネルを変位させるように操作されると、当該表示パネルを上記パネル他端が上記第２の筐体表面上にせり出すように変位させる
請求項１に記載の携帯端末。
【請求項３】
上記第２の筐体の上記第２の筐体表面に配置された複数の操作キーと、
複数の上記操作キーに対して、入力可能な命令の割り当てを変更する割当変更手段と
を具え、
上記変位手段は、
上記第１及び第２の筐体が上記ヒンジ部を介して開かれて上記表示パネルの上記パネル面全体を露出させた状態で、上記表示パネルを変位させるように操作されると、当該表示パネルを複数の上記操作キーのうち上記ヒンジ部側に配置された一部の上記操作キーを覆うように変位させ、
上記割当変更手段は、
上記第１及び第２の筐体が上記ヒンジ部を介して開かれて上記表示パネルの上記パネル面全体を露出させた状態で、当該表示パネルが上記変位手段を介して変位したとき、複数の上記操作キーのうち上記表示パネルの陰にならずに外部に露出したままの上記操作キーに対する上記入力可能な命令の割り当てを変更する
請求項２に記載の携帯端末。
【請求項４】
上記第１及び第２の筐体が上記ヒンジ部を介して上記鈍角まで開かれて上記表示パネルの上記パネル面全体を露出させた状態で、上記表示パネルが上記変位手段を介して変位すると、上記パネル他端と上記第２の筐体表面の所定位置とを係止させる係止手段
を具える請求項３に記載の携帯端末。
【請求項５】
上記第１の筐体の上記第１の筐体表面の一端部及び上記第２の筐体の上記第２の筐体表面の他端部に設けられた一対のステレオスピーカ
を具える請求項４に記載の携帯端末。
【発明の詳細な説明】
【技術分野】
【０００１】
本発明は、携帯端末に関し、例えば携帯電話機に適用して好適なものである。
【背景技術】
【０００２】
従来の携帯電話機は、一面に操作キーが配置された第１の筐体に対して、一面に表示部が設けられた第２の筐体をスライド可能に保持し、第１の筐体の他面全体と第２の筐体の一面全体とを対向させて操作キーを外部から隠蔽するキー隠蔽状態から当該第１の筐体の一面と第２の筐体の一面とを並べて操作キーを外部に露出させるキー露出状態までの間でスライドし得るようにしている（例えば、特許文献１参照）。
【特許文献１】特開２００３−１１０６７５公報（第２頁、第１図）
【発明の開示】
【発明が解決しようとする課題】
【０００３】
ところでかかる構成の携帯電話機は、第１の筐体に対して第２の筐体をスライドさせてキー隠蔽状態及びキー露出状態のいずれの状態にされても、第１の筐体が片手で保持されて使用されている。
【０００４】
このためかかる構成の携帯電話機においては、筐体の全重量が片手にかかることにより比較的短い時間でも当該片手が疲れてしまうので、筐体を安定して保持し難いという問題があった。
【０００５】
本発明は以上の点を考慮してなされたもので、安定して保持させ得る携帯端末を提案しようとするものである。
【課題を解決するための手段】
【０００６】
かかる課題を解決するために本発明においては、第１及び第２の筐体がヒンジ部を介して、第１の筐体の第１の筐体表面と第２の筐体の第２の筐体表面とを対向させる閉方向及び第１の筐体表面と第２の筐体表面とを所定の鈍角まで引き離す開方向へ開閉可能に連結されて形成された端末筐体と、第１の筐体の第１の筐体表面に、パネル面のパネル一端よりもパネル他端をヒンジ部側に位置させて設けられた表示パネルと、第１及び第２の筐体がヒンジ部を介して開かれて表示パネルのパネル面全体を露出させた状態で、表示パネルを変位させるように操作されると、当該表示パネルを第２の筐体の第２の筐体表面側に変位させる変位手段と、表示パネルのパネル面全体を露出させた状態でも当該表示パネルが変位していないと、表示パネルに表示画像を、当該表示パネルのパネル一端からパネル他端までの縦方向と直交する横方向に表示画像の幅方向を一致させるように表示し、表示パネルが変位手段を介して変位すると、表示パネルに表示画像を、縦方向に幅方向を一致させるように９０度回転させて表示する表示制御部とを設けるようにした。
【０００７】
これにより本発明は、表示パネルを変位させてはいないと、ヒンジ部を介して開かれた第１及び第２の筐体を片手で保持させて第１及び第２の筐体表面と対向する側から表示パネルを目視したユーザに、文字や図形等が逆さまや横向きにならないように縦長の表示画像を見せることができ、ヒンジ部を介して開かれた第１及び第２の筐体を保持する片手が疲れたときには、表示パネルを変位させることで、ヒンジ部を介して開かれた第１及び第２の筐体に一方及び他方の手で保持するためのスペースを確保して当該ヒンジ部を介して開かれた第１及び第２の筐体を両手で保持させることができると共に、その際に第１及び第２の筐体表面と対向する側から表示パネルを目視したユーザに、文字や図形等が逆さまや横向きにならないように横長の表示画像を見せることができる。
【発明の効果】
【０００８】
本発明によれば、第１及び第２の筐体がヒンジ部を介して開かれて、第１の筐体の第１の筐体表面に設けられた表示パネルのパネル面全体を露出させた状態で、表示パネルを変位させるように操作されると、変位手段を介して表示パネルを第２の筐体の第２の筐体表面側に変位させるようにして、表示パネルのパネル面全体を露出させた状態でも当該表示パネルが変位していないと、表示パネルに表示画像を、当該表示パネルのパネル一端からパネル他端までの縦方向と直交する横方向に表示画像の幅方向を一致させるように表示し、表示パネルが変位手段を介して変位すると、表示パネルに表示画像を、縦方向に幅方向を一致させるように９０度回転させて表示するようにしたことにより、表示パネルを変位させてはいないと、ヒンジ部を介して開かれた第１及び第２の筐体を片手で保持させて第１及び第２の筐体表面と対向する側から表示パネルを目視したユーザに、文字や図形等が逆さまや横向きにならないように縦長の表示画像を見せることができ、ヒンジ部を介して開かれた第１及び第２の筐体を保持する片手が疲れたときには、表示パネルを変位させることで、ヒンジ部を介して開かれた第１及び第２の筐体に一方及び他方の手で保持するためのスペースを確保して当該ヒンジ部を介して開かれた第１及び第２の筐体を両手で保持させることができると共に、その際に第１及び第２の筐体表面と対向する側から表示パネルを目視したユーザに、文字や図形等が逆さまや横向きにならないように横長の表示画像を見せることができ、かくして安定して保持させ得る携帯端末を実現することができる。
【発明を実施するための最良の形態】
【０００９】
以下、図面について、本発明の一実施の形態を詳述する。
【００１０】
（１）折畳式携帯電話機の外観構成
図１（Ａ）及び（Ｂ）に示すように、１は本発明を適用した携帯端末としての折畳式携帯電話機を示し、電話機筐体２の一端部となる略矩形状の第１の筐体（以下、これを表示部筐体と呼ぶ）３と当該電話機筐体２の他端部となる略矩形状の第２の筐体（以下、これを操作部筐体と呼ぶ）４とがヒンジ部５を介して連結され、当該操作部筐体４に対して表示部筐体３が矢印Ａに示す互いの一面同士を対向させる閉方向及びこれとは逆の互いの一面同士を引き離す開方向に開閉可能に形成されている。
【００１１】
この場合、表示部筐体３の一面（以下、これを表示部筐体正面と呼ぶ）３Ａには、ほぼ全面に渡って液晶ディスプレイ等でなる偏平矩形状の表示パネル６がその長手方向（以下、これをパネル長手方向と呼ぶ）を当該表示部筐体３の長手方向（以下、これを筐体長手方向と呼ぶ）とほぼ平行にして設けられ、当該表示パネル６に電波の受信状態、電池残量、電話帳リスト、発信及び着信履歴、現在時刻の他、電子メール文、ホームページ等を表示し得るようになされている。
【００１２】
また表示部筐体正面３Ａには、表示パネル６よりも一端側のわずかなスペースにスピーカ７が設けられており、当該スピーカ７を介して通話相手の音声や着信音等を出力し得るようになされている。
【００１３】
一方、操作部筐体４の一面（以下、これを操作部筐体正面と呼ぶ）４Ａには、中央部分に電源キーや数字キー、発呼キー、終話キー等の操作キー群と回転及び押圧操作可能なジョグダイヤルとでなる操作部８が設けられており、当該操作部８を介して各種命令を入力し得るようになされている。
【００１４】
また操作部筐体正面４Ａには、操作部８よりも他端側にマイクロフォン９が設けられており、当該マイクロフォン９によって通話時のユーザの音声を集音し得るようになされている。
【００１５】
さらに操作部筐体４の右側面４Ｂの所定位置には、イヤホン（図示せず）を接続するためのイヤホン端子１０が設けられ、スピーカ７に替えて、当該イヤホン端子１０に接続されたイヤホンを介して通話相手の音声や着信音等を出力し得るようにもなされている。
【００１６】
さらに操作部筐体４の内部には、通話等に用いる無線通信用アンテナ（図示せず）が収納されており、当該無線通信用アンテナを介して無線通信システムの基地局（図示せず）と通信し得るようになされている。
【００１７】
さらに操作部筐体４の内部には、上述の無線通信用アンテナとは別に、地上デジタルテレビジョン放送用のテレビジョン放送受信アンテナ（図示せず）が設けられており、当該テレビジョン放送受信アンテナにより、地上デジタルテレビジョン放送用の放送局（図示せず）から送信されたテレビジョン放送信号を受信し、その地上デジタルテレビジョン放送の番組映像を表示パネル６に表示すると共に、番組音声をスピーカ７やイヤホンを介して出力し得るようになされている。
【００１８】
かかる構成に加えてこの折畳式携帯電話機１の場合、図２に示すように表示部筐体正面３Ａには、表示パネル６の位置を変位させるパネル変位機構２０が設けられている。
【００１９】
この場合、パネル変位機構２０は、表示部筐体正面３Ａに形成された収納用凹部２１を有し、当該収納用凹部２１の幅方向（すなわち、筐体長手方向と直交する方向）の一方及び他方の内壁２１Ａ及び２１Ｂに、それぞれ筐体長手方向とほぼ平行なスライド溝２２Ａ及び２２Ｂが形成されていると共に、他端側にパネル姿勢変更部材２３が収納されている。
【００２０】
パネル姿勢変更部材２３は、図３に示すように、箱状の部材本体２４の一端に一対の板状でなるパネル支持部２５Ａ及び２５Ｂが設けられていると共に、当該部材本体２４の他端に一対の円盤状でなるヒンジ取付部２６Ａ及び２６Ｂが設けられている。
【００２１】
またヒンジ取付部２６Ａ及び２６Ｂは、その中心軸をヒンジ部５の中心軸とほぼ一致させて当該ヒンジ部５に閉方向及び開方向に回動自在に枢支され、操作部筐体４に対する表示部筐体３の閉方向及び開方向への回動動作とは独立して回動し得るようになされている。
【００２２】
さらにパネル支持部２５Ａ及び２５Ｂには、互いの先端にそれぞれヒンジ部５の中心軸とほぼ平行に回動軸２７Ａ及び２７Ｂが設けられ、当該回動軸２７Ａ及び２７Ｂにそれぞれパネル取付板２８が閉方向及び開方向に回動自在に枢支されている。
【００２３】
そして表示パネル６（図２）には、その幅方向の一方及び他方の側面６Ａ及び６Ｂの一端にそれぞれスライド突起２９Ａ及び２９Ｂが突設され、当該スライド突起２９Ａ及び２９Ｂが収納用凹部２１の対向するスライド溝２２Ａ及び２２Ｂに挿入されると共に、パネル背面６Ｃの他端部がパネル取付版２８に取り付けられている。
【００２４】
これによりパネル変位機構２０は、操作部筐体４に対して表示部筐体３が閉方向に回転して操作部筐体正面４Ａ及び表示部筐体正面３Ａを対向させた状態（以下、これを閉状態と呼ぶ）や当該閉状態から単に操作部筐体４に対して表示部筐体３が開方向に回転して当該操作部筐体４及び表示部筐体３がヒンジ部５の中心軸を中心にして所定の鈍角まで開かれた状態（以下、これを開状態と呼ぶ）で使用される通常使用時には、表示パネル６のパネル一端を収納用凹部２１の一端内壁に突き当てた状態でパネル姿勢変更部材２３と共に当該表示パネル６を一体化して図１（Ａ）に示したように収納用凹部２１に収納する。
【００２５】
またパネル変位機構２０は、図４（Ａ）〜（Ｃ）及び図５（Ａ）〜（Ｃ）に示すように、操作部筐体４及び表示部筐体３の開状態において、表示パネル６を変位させて使用されるパネル変位使用時には、収納用凹部２１内の表示パネル６のパネル面が矢印Ｂに示すパネル一端からパネル他端へのパネル変位方向にずらすように押されると、当該表示パネル６の一端側をスライド突起２９Ａ、２９Ｂ及びスライド溝２２Ａ、２２Ｂを介してパネル変位方向にスライドさせる。
【００２６】
このときパネル変位機構２０は、表示パネル６のスライドに連動させて当該表示パネル６と共にパネル取付板２８を一体化したまま開方向に回転させると共に、パネル姿勢変更部材２３を閉方向に回転させることにより、パネル一端を収納用凹部２１内の他端内壁側に近づけながら、パネル他端を操作部筐体正面４Ａ上にせり出させるようにし、かくして表示パネル６を収納用凹部２１内に一体に収納していた位置からパネル背面６Ｃのほぼ中央部分をヒンジ部５と対向させる所定の変位位置まで変位させ得るようになされている。
【００２７】
そして表示パネル６のパネル他端には、位置決め用突起３０Ａ及び３０Ｂが設けられ、操作部筐体正面４Ａには、操作部筐体４及び表示部筐体３が所定の鈍角まで開いた開状態において当該位置決め用突起３０Ａ及び３０Ｂと対向する所定位置に突起係止穴部３１Ａ及び３１Ｂが穿設されている。
【００２８】
これによりパネル変位機構２０は、表示パネル６を操作部筐体正面４Ａ上にせり出させるように変位させたとき、位置決め用突起３０Ａ及び３０Ｂをそれぞれ突起係止穴部３１Ａ及び３１Ｂに差し込んで係止させ、かくして表示パネル６の変位状態を安定して維持し得るようになされている。
【００２９】
かくして折畳式携帯電話機１においては、パネル変位使用時には、表示パネル６を収納用凹部２１に収納していた位置からパネル背面６Ｃの中央部分をヒンジ部５と対向させる所定の変位位置まで変位させることにより、表示部筐体３の一端及び操作部筐体４の他端にそれぞれ一方及び他方の手で筐体を保持するためのスペースを確保することができるようになされている。
【００３０】
ところで折畳式携帯電話機１は、図６（Ａ）に示すように、通常使用時には、表示パネル６の長手方向と直行する方向（以下、これをパネル幅方向と呼ぶ）の長さに、表示画像の幅を合わせて当該表示パネルに縦長の表示画像を表示している。
【００３１】
従って折畳式携帯電話機１は、通常使用時に表示部筐体３及び操作部筐体４を上下に位置させて当該操作部筐体４が片手で保持された場合、表示部筐体正面３Ａと対向する側から表示パネル６を目視したユーザに、文字や図形等が逆さまや横向きにならないように縦長の表示画像を見せることができる。
【００３２】
また折畳式携帯電話機１は、図６（Ｂ）に示すように、パネル変位使用時には、表示パネル６の長手方向の長さに表示画像の幅を合わせて当該表示パネル６に横長の表示画像を表示している。
【００３３】
そして折畳式携帯電話機１は、このとき表示パネル６を所定の変位位置まで変位させることにより表示部筐体３の一端部及び操作部筐体４の他端部にそれぞれユーザの一方（例えば右）及び他方（例えば左）の手で電話機筐体２を保持するための筐体保持用スペースを確保している。
【００３４】
従って折畳式携帯電話機１は、図７に示すように、操作部筐体４及び表示部筐体３を左右に位置させて当該操作部筐体４の他端の筐体保持用スペースを例えば左手の親指と他の指とで操作部筐体正面４Ａ及びその背面から挟み込むように保持させると共に、表示部筐体３の一端部の筐体保持用スペースを右手の親指と他の指とで表示部筐体正面３Ａ及びその背面から挟み込むように保持させることができ、その状態で操作部筐体正面４Ａ及び表示部筐体正面３Ａと対向する側から表示パネル６を目視したユーザに、文字や図形等が逆さまや横向きにならないように、地上デジタルテレビジョン放送の番組映像等のような横長の表示画像を見せることができる。
【００３５】
また折畳式携帯電話機１は、パネル変位使用時、操作部８に対して所定の変位位置に変位させた表示パネル６の陰にならずに外部に露出したままの状態の操作キーに対して地上デジタルテレビジョン放送のチャンネル切替命令や音量調整命令等の各種命令を割り当てることにより、操作部筐体４及び表示部筐体３を左右に位置させて両手で保持された状態でも表示画像の切り替えや、折畳式携帯電話機１に対する操作用等の各種命令を何ら支障なく入力させ得るようになされている。
【００３６】
（２）回路構成
次に携帯電話機１の回路構成について図８を用いて説明する。
【００３７】
携帯電話機１は、ＣＰＵ（Central Processing Unit）４０に対して、基本プログラムやアプリケーションプログラム等の各種プログラムや電話帳データ等の各種データを格納したＲＯＭ（Read
Only Memory）４１、当該ＣＰＵ４０のワークエリアとして用いられるＲＡＭ（Random Access Memory）４２、操作部８、表示パネル６の変位状態を検出する変位状態検出部４３、表示パネル６の表示方向を制御する表示制御部４４、無線通信用送受信部４５、テレビジョン放送受信部４６、コーデック部４７及び映像音声処理部４８が接続されている。
【００３８】
そしてＣＰＵ４０は、操作部８を介して入力される発呼命令や終話命令等の通話用命令、及びチャンネル切替命令や音量調整命令等の番組視聴用命令に応じて、ＲＯＭ４１から各種プログラムを適宜読み出し、これらをＲＡＭ４２に展開して実行することにより折畳式携帯電話機１の各回路部を制御して、通話用命令及び番組視聴用命令に応じた各種処理を実行するようになされている。
【００３９】
実際上ＣＰＵ４０は、通話モード時、ユーザの音声をマイクロフォン９で集音して得られた音声信号をコーデック部４７で圧縮符号化し、その結果得られる符号化データに対して無線通信用送受信部４５で変調処理等の所定の送信処理を施した後、無線通信用アンテナ４９を介して基地局へ送信する。
【００４０】
またＣＰＵ４０は、このとき基地局から送信された相手の音声に相当する受信信号を無線通信用アンテナ４９で受信して無線通信用送受信部４５に取り込み、当該無線通信用送受信部４５でその受信信号に復調処理等の所定の受信処理を施した結果得られる復調データをコーデック部４７で復号することにより音声信号を得、これをスピーカ７及びイヤホン端子１０でなる音声出力部５１を介して出力する。
【００４１】
これによりＣＰＵ４０は、ユーザと相手との通話を成立させるようになされている。
【００４２】
一方、ＣＰＵ４０は、操作部８を介して地上デジタルテレビジョン放送に対する番組視聴開始命令が入力されると、これに応じて番組視聴モードに移行する。
【００４３】
そしてこのときＣＰＵ４０は、ユーザにより操作部８を介して指定されたチャンネルのチャンネル番号に応じてテレビジョン放送受信部４６を制御すると共に、変位状態検出部４３による表示パネル６の変位状態の検出結果に応じて表示制御部４４及び映像音声処理部４８を制御する。
【００４４】
これによりまずテレビジョン放送受信部４６は、テレビジョン放送受信アンテナ５０で受信した複数チャンネル分のテレビジョン放送信号のうちユーザにより指定されたチャンネルのテレビジョン放送信号を選択して復調処理等の所定の受信処理を施すことにより、例えばＭＰＥＧ（Moving Picture Experts Group）規格に準じて生成されていたトランスポートストリームでなるデジタルデータを再生成し、これを映像音声処理部４８に送出する。
【００４５】
映像音声処理部４８は、テレビジョン放送受信部４６で再生成されたデジタルデータを圧縮映像データ及び圧縮音声データに分離すると共に、これら圧縮映像データ及び圧縮音声データをそれぞれ復号化することにより番組映像データ及び番組音声データを生成する。
【００４６】
ここで表示パネル６は、表示画面のサイズが、パネル変位使用時にユーザから見て横長となったときに地上デジタルテレビジョン放送の横長の携帯放送用番組映像全体をそのまま表示し得るように選定されている。
【００４７】
従って映像音声処理部４８は、変位状態検出部４３によって表示パネル６が収納用凹部２１に収納されていることが検出されているとき（すなわち通常使用時）には、番組映像データに基づく番組映像の画素を間引いて当該番組映像の幅を表示パネル６の幅に合わせるようにその番組映像を全体的に縮小した縮小変換映像データを生成する。
【００４８】
そして映像音声処理部４８は、縮小変換映像データをデジタルアナログ変換し、得られた縮小変換映像信号を表示制御部４４を介してそのまま表示パネル６に送出すると共に、番組音声データをデジタルアナログ変換し、得られた番組音声信号を音声出力部５１に送出する。
【００４９】
これによりＣＰＵ４０は、通常使用時、表示パネル６に縮小変換映像信号に基づく縮小変換映像を当該表示パネル６の幅にその縮小変換映像の幅を合わせて表示すると共に、番組音声信号に基づく番組音声を音声出力部５１のスピーカ７又はイヤホンから出力し、かくして表示部筐体３及び操作部筐体４を上下に位置させて保持させた状態でユーザから見て縦長の表示パネル６に縮小変換映像を文字や図形等が逆さまや横向きにならないように表示して番組を視聴させることができる。
【００５０】
また映像音声処理部４８は、変位状態検出部４３によって表示パネル６が所定の変位位置に変位したことが検出されたとき（すなわちパネル変位使用時）には、番組映像データをそのままデジタルアナログ変換し、得られた番組映像信号を表示制御部４４に送出して当該番組映像信号を表示パネル６のパネル正面と平行に９０度回転させるように回転処理し、得られた回転番組映像信号を表示パネル６に送出すると共に、番組音声データをデジタルアナログ変換し、得られた番組音声信号を音声出力部５１に送出する。
【００５１】
これによりＣＰＵ４０は、パネル変位使用時、表示パネル６に回転番組映像信号に基づく回転番組映像を表示パネル６の長手方向の長さにその回転番組映像の幅を合わせて表示すると共に、番組音声信号に基づく番組音声を音声出力部５１のスピーカ７又はイヤホンから出力し、かくして操作部筐体４及び表示部筐体３を左右に位置させて保持させた状態でユーザから見て横長の表示パネル６に回転番組映像を文字や図形等が逆さまや横向きにならないように表示して番組を視聴させることができる。
【００５２】
このようにしてＣＰＵ４０は、通常使用時及びパネル変位使用時のどちらの場合であってもユーザに対して地上デジタルテレビジョン放送の所望の番組を表示パネル６の配置状態（縦長や横長の配置）に応じて正しく見せることができる。
【００５３】
（３）動作及び効果
以上の構成において折畳式携帯電話機１は、開状態の表示部筐体３及び操作部筐体４からなる電話機筐体２において、パネル変位使用時には、パネル変位機構２０を介して表示パネル６を表示部筐体３の収納用凹部２１内の収納位置から操作部筐体４側の所定の変位位置まで変位させる。
【００５４】
以上の構成によれば折畳式携帯電話機１は、表示パネル６を電話機筐体２の一端部から他端部側の所定の変位位置まで変位させるようにしたことにより、電話機筐体２の一端部及び他端部にそれぞれ筐体保持用スペースを確保することができる。
【００５５】
これにより折畳式携帯電話機１は、ユーザに対して電話機筐体２の一端部及び他端部にそれぞれ確保した筐体保持用スペースをそれぞれ一方の手及び他方の手で保持させて両手で保持させることができ、かくして電話機筐体２を安定して保持させることができる。
【００５６】
また折畳式携帯電話機１は、表示部筐体３及び操作部筐体４がヒンジ部５の中心軸を中心として鈍角に開かれた開状態で表示パネル６を所定の変位位置に変位させるため、当該表示部筐体３及び操作部筐体４を両手で保持する代わりにその表示部筐体３及び操作部筐体４の側面を下にして例えば机上に置かれた場合でもその状態を維持して使用させることができる。
【００５７】
（４）他の実施の形態
なお上述の実施の形態においては、表示部筐体３の一端に設けられたスピーカ７及びイヤホン端子１０に接続されたイヤホンを介して番組音声を出力するようにした場合について述べたが、本発明はこれに限らず、図９に示すように表示部筐体正面３Ａの一端及び操作部筐体正面４Ａの他端にそれぞれ番組音声用スピーカ６０Ａ、６０Ｂを設けてステレオスピーカを構成し、当該番組音声用スピーカ６０Ａ、６０Ｂを介して番組音声を出力するようにしてもよい。
【００５８】
この場合、折畳式携帯電話機１は、ユーザに対してイヤホンを使わせなくてもステレオ音声で番組音声を聞かせることができる。
【００５９】
また上述の実施の形態においては、地上デジタルテレビジョン放送の番組視聴機能を有する折畳式携帯電話機１について本発明を適用した場合について述べたが、本発明はこれに限らず、例えばヒンジ部５にカメラを設けたカメラ機能付きの折畳式携帯電話機１に本発明を適用してもよく、この場合カメラ機能を利用して撮影する場合に、上述のパネル変位使用時のように表示部筐体３及び操作部筐体４を左右に位置させた開状態にして両手で保持させることにより、片手で保持させる場合よりも安定した状態で保持させることができるので、撮影時の手ぶれ等を防止することができる。
【００６０】
さらにゲーム機能を有する折畳式携帯電話機１に本発明を適用するようにしてもよく、この場合例えば図１０に示すように、収納用凹部２１の底面にゲーム操作用の十字キー６１を設け、ゲームで遊ぶ際には、表示部筐体３及び操作部筐体４を左右に位置させた開状態で表示パネル６を変位させて十字キー６１を露出させることにより、操作部８及び当該十字キー６１をそれぞれ左右の手で操作させることができるので、ゲームで遊ぶ際の操作性を一段と向上することができる。
【００６１】
さらに上述の実施の形態においては、表示パネル６のパネル正面上部をユーザがパネル変位方向に押し下げることにより表示パネル６を変位させるようにした場合について述べたが、本発明はこれに限らず、例えば操作部筐体右側面４Ｂにパネル変位用プッシュボタンを設けると共に、当該パネル変位用プッシュボタンの押下操作に応じてパネル姿勢変更部材２３を閉方向に回転させるためのバネをヒンジ部５内に設け、当該パネル変位用プッシュボタンが押下させることで表示パネル６を変位させるようにしてもよい。
【００６２】
さらに上述の実施の形態においては、携帯端末として折畳式携帯電話機１に本発明を適用した場合について述べたが、本発明はこれに限らず、表示パネル６の変位機構を有するものであれば、折畳式ではない一体型の携帯電話機や、ＰＤＡ（Personal Digital Assistance）、ノートブック型のパーソナルコンピュータ、携帯ゲーム機等、その他種々の携帯端末に適用してもよい。
【００６３】
さらに上述の実施の形態においては、端末筐体としての電話機筐体２、表示部としての表示パネル６、変位手段としてのパネル変位機構２０によって折畳式携帯電話機１を構成する場合について述べたが、本発明はこれに限らず、この他種々の端末筐体、表示部、変位手段により折畳式携帯電話機１を構成するようにしてもよい。
【産業上の利用可能性】
【００６４】
本発明の携帯端末は、地上デジタルテレビジョン放送の番組視聴機能を有する携帯電話機や、携帯ゲーム機に適用できる。
【図面の簡単な説明】
【００６５】
【図１】本発明における折畳式携帯電話機の外観構成を示す略線図である。
【図２】パネル変位機構の構成を示す略線図である。
【図３】パネル姿勢変更部材の構成を示す略線図である。
【図４】表示パネルの変位を示す略線図である。
【図５】パネル姿勢変更部材の回動を示す略線図である。
【図６】折畳式携帯電話機の使用例を示す略線図である。
【図７】折畳式携帯電話機の保持例を示す略線図である。
【図８】折畳式携帯電話機の回路構成を示す略線図である。
【図９】他の実施の形態における番組音声用スピーカを新たに設けた折畳式携帯電話機の外観構成を示す略線図である。
【図１０】他の実施の形態における十字キーを新たに設けた折畳式携帯電話機の外観構成を示す略線図である。
【符号の説明】
【００６６】
１……折畳式携帯電話機、２……電話機筐体、３……表示部筐体、４……操作部筐体、６……表示パネル、２０……パネル変位機構、６０Ａ、６０Ｂ……番組音声用スピーカ。
【図１】
0004618764.tif 000002
【図２】
0004618764.tif 000003
【図３】
0004618764.tif 000004
【図４】
0004618764.tif 000005
【図５】
0004618764.tif 000006
【図６】
0004618764.tif 000007
【図７】
0004618764.tif 000008
【図８】
0004618764.tif 000009
【図９】
0004618764.tif 000010
【図１０】
0004618764.tif 000011